(57)【要約】【課題】リモコンを操作する人の位置に関わらず広範囲からリモコンで操作できる空気清浄機を提供する。【解決手段】  吸込口と吹出口を形成し、モータにより駆動される遠心力形ファンよりなる送風手段を設けた本体と、この本体に設けられる送風手段の風上側に設けられる集塵ユニットと脱臭ユニットと加湿ユニットを備えた空気清浄機において、前記空気清浄機の正面の略全面をリモコン信号の受信部として構成とした。【選択図】  図２
2018044739.tif 000002
【特許請求の範囲】
【請求項１】
吸込口と吹出口を形成し、モータにより駆動される遠心力形ファンよりなる送風手段を設けた本体と、この本体に設けられる送風手段の風上側に設けられる集塵ユニットと脱臭ユニットと加湿ユニットを備えた空気清浄機において、
前記空気清浄機の正面の略全面をリモコン信号の受信部として構成としたことを特徴とする空気清浄機。
【請求項２】
請求項１に記載の空気清浄機において、前記受信部は単一の部材で構成したことを特徴とする空気清浄機。
【請求項３】
請求項１に記載の空気清浄機において、前記受信部は単一の部材で構成し，その内側面に遮蔽処理を施したことを特徴とする空気清浄機。
【請求項４】
請求項１に記載の空気清浄機において、前記受信部は単一の透明な部材で構成し，その内側面に遮蔽処理を施したことを特徴とする空気清浄機。
【請求項５】
請求項１に記載の空気清浄機において、前記受信部は単一の透明なガラス材で構成し，その内側面に遮蔽処理を施したことを特徴とする空気清浄機。
【請求項６】
請求項１に記載の空気清浄機において、前記受信部は単一の透明な一般的なガラス材と比べてより赤外線を透過し易いガラス材で構成し，その内側面に遮蔽処理を施したことを特徴とする空気清浄機。
【発明の詳細な説明】
【技術分野】
【０００１】
本発明は、空気清浄機に関するものである。
【背景技術】
【０００２】
技術分野の背景技術として、空気清浄機本体の正面にリモコンからの信号を受信する正面受信部を設け、側面に側面受信部を設けるものがある。例として特開２００４−６９１５１号公報（特許文献１）がある。この公報には、吸気口より本体内に吸引した空気を清浄化して排気口より放出する空気清浄機本体と、該空気清浄機本体を遠隔操作で運転するリモートコントローラを具えたものにおいて、空気清浄機本体の複数の面に、前記リモートコントローラから送信される信号を受信する受信部を設けた空気清浄機。と記載されている。
【先行技術文献】
【特許文献】
【０００３】
【特許文献１】特開２００４−６９１５１号公報
【発明の概要】
【発明が解決しようとする課題】
【０００４】
特許文献１に記載の空気清浄機の構成では、リモコン信号の受信部を有する複数の面のいずれでもリモコンを操作する人のいる部屋の内側へ向けて設置することができ、空気清浄機本体の一面にのみリモコン信号の受信部を設けたものに比べて設置態様の多様化が可能になる。
【０００５】
しかしながら、近年の空気清浄機には，より多くの空気を清浄処理するために大風量が求められていて、本体が大型化している。また，近年の空気清浄機には，より快適な空気環境を提供するために，加湿機能を備えたものが多くなり，新規販売の半数以上は加湿機能を備えている。
【０００６】
そのため，大風量化して加湿機能を備えた空気清浄機にあっては，加湿の為の水タンクと加湿フィルターを備えており，加湿フィルターへの給水構造からの水漏れを生じる寝かせた状態での設置が出来ず，設置方向と設置場所が制限される。また空気清浄機による空気の浄化状態や湿度状態などの表示部を部屋の内側へ向けて設置する必要から，リモコンを操作する人の位置によってはリモコンの信号を受信できない恐れがあるという課題があった。
【０００７】
リモコンを操作する人の位置に関わらず広範囲からリモコンで操作できる空気清浄機を提供することを目的とする。
【課題を解決するための手段】
【０００８】
上記課題を解決するために、例えば特許請求の範囲に記載の構成を採用する。本願は上記課題を解決する手段を複数含んでいるが、その一例を挙げるならば、吸込口と吹出口を形成し、モータにより駆動される遠心力形ファンよりなる送風手段を設けた本体と、空気清浄機本体を遠隔操作で運転する赤外線を利用したリモコンを具えたものにおいて、
【発明の効果】
【０００９】
本発明によれば、リモコンを操作する人の位置に関わらず広範囲からリモコンで操作できる空気清浄機を得られる。
【図面の簡単な説明】
【００１０】
【図１】本発明の一実施例を示す空気清浄機の斜視図
【図２】本発明の一実施例を示す空気清浄機の縦断面図
【図３】本発明の一実施例を示す空気清浄機の正面カバー部模式縦断面図
【図４】本発明の一実施例を示す空気清浄機の正面カバー部模式縦断面図
【図５】本発明の一実施例を示す空気清浄機の正面カバー部模式縦断面図
【図６】本発明の一実施例を示す空気清浄機の分解斜視図
【図７】従来の空気清浄機の構成を示す正面カバー部模式縦断面図
【発明を実施するための形態】
【００１１】
以下、実施例を、図面を用いて説明する。
【実施例１】
【００１２】
本実施例では、吸込口２と吹出口３を形成し、内部のモータ４により駆動される遠心力形ファン５よりなる送風手段７を設けた本体１と、この本体１に設けられるリモコン信号の受光素子を備えた受信ユニット１３を備えた空気清浄機において，本体１の略正面のすべての面をリモコンから送信される信号である赤外線を受信する受光部とした空気清浄機の例を説明する。
【００１３】
図１、図２は、本発明の実施例１を示す空気清浄機の例である。図３は、本発明の一実施例を示す空気清浄機の正面カバー部模式縦断面図である。図４は、本発明の一実施例を示す空気清浄機の正面カバー部模式縦断面図である。図７は、従来の空気清浄機の構成を示す正面カバー部模式縦断面図である。
【００１４】
本体１に吸込口２と吹出口３を形成し、内部にモータ４を保持し、そのモータ４により駆動される遠心力形ファン５と吹出口３に向かい気流を案内する渦巻状のファンケーシング６よりなる送風手段７を設けている。送風手段７の風上側である吸込口２と送風手段７の間には集塵ユニット８，脱臭ユニット９及び加湿用のフィルター１０を設けている。そして本体１の正面側上部の渦巻状のファンケーシング６と赤外線を透過する部材で構成された正面カバー部１１の間には，本体１の運転状態を表示する表示部とリモコンによらずに手動で操作する場合の操作部を備えた表示操作受信ユニット部１２を設けている。この表示操作受信ユニット部１２にはリモコンから送信される信号である赤外線を受信する受光素子を備えた受信ユニット１３を備えている。
【００１５】
上記構成において、赤外線を利用したリモコンにより本体へ向けて赤外線による信号が送信されると，先ず正面カバー部１１が信号を受光する。この正面カバー部１１は赤外線を透過する材質の部材で構成されているので，内部に設けられた受信ユニット１３の持つ赤外線を受信範囲内から送信された信号は，図３のように正面カバー部１１を透過して受信ユニット１３に届いて受信できる。また、内部に設けられた受信ユニット１３の持つ赤外線を受信範囲外から送信された信号は，図４のように正面カバー部１１の内面反射により正面カバー部１１の部材内を伝播して受信ユニット１３まで導かれて受信することができる。これにより、空気清浄機の本体１の略正面のすべての面をリモコンから送信される信号である赤外線を受信する受光部としての機能を設けたものとなり、この本体１の正面はリモコン信号の受光部を有しているのでリモコンを操作する人のいる部屋の内側へ向けて設置することができ、空気清浄機の本体１の特定の一部分にのみリモコン信号の受光部を設けたものに比べて広範囲からリモコン信号の受信が可能になる。
【００１６】
例えば空気清浄機の本体１とリモコンを操作する人が略正対する位置であって，本体１とリモコンを操作する人の間に家具等が介在して本体の正面が全て見える状態でなくとも，リモコンから送信される信号を受信することができる。
【００１７】
また，リモコンを操作する人の位置が，空気清浄機本体の側部斜方向で特定の一部分にのみリモコン信号の受信部を設けたものであっては，受光角度が浅くリモコン信号の受信ができない位置であっても，リモコンから送信される信号を受信することができる。
【実施例２】
【００１８】
本実施例では、正面カバー部に遮蔽処理を施した構成の例を説明する。実施例１と同じ部分については説明を省略する。
【００１９】
上記構成において、赤外線を利用したリモコンにより本体へ向けて赤外線による信号が送信されると，先ず正面カバー部１１１が信号を受光する。この正面カバー部１１１は赤外線を透過する材質の部材で構成されていて，且つ内側面には赤外線を透過させず，また反射する遮蔽処理を施しているので，内部に設けられた示操作受信ユニット部１２の受信ユニット１３の持つ赤外線を受信範囲内から送信された信号は，図５の様に正面カバー部１１で受光した赤外線は，内部に設けられた受信ユニット１３の持つ赤外線を受信範囲外から送信された信号であっても，本体の略正面のすべての面を構成する正面カバー部１１が受光すれば正面カバー部１１の内部を伝播して受信ユニット１３に届いて受信することができる。これにより、実施例１と同様の効果を奏することができる。
【符号の説明】
【００２０】
１：空気清浄機の本体
２：吸込口
３：吹出口
４：モータ
５：遠心力形ファン
６：渦巻状のファンケーシング
７：送風手段
８：集塵ユニット
９：脱臭ユニット
１０：加湿用のフィルター
１１、１１１：正面カバー部
１２：表示操作受信ユニット部
１３：受信ユニット
１４：リモコン
１５：正面カバー部の遮蔽処理部
１６：正面カバー部の枠部
１７：正面カバー部の補強部
１８：正面カバー部のリモコン受信用導光部材部
１９：正面カバー部の覆い構造部
１３１：受信ユニットの受信範囲
１４１：リモコンの送信範囲
【図１】
2018044739.tif 000003
【図２】
2018044739.tif 000004
【図３】
2018044739.tif 000005
【図４】
2018044739.tif 000006
【図５】
2018044739.tif 000007
【図６】
2018044739.tif 000008
【図７】
2018044739.tif 000009